(57)【要約】 【課題】主照明部となる第１の照明部と、スポットランプとしての副照明となる第２の照明部とを備えつつ、各光源用のスペースを小さして薄型でコンパクトな構成にするとともに、点灯時にもムラなく見栄えの良い照明装置を提供する【解決手段】  この照明装置３０は、開口部を有するハウジング５１内に収容された平面型放電管１０と、その開口部を塞ぐとともに、平面型放電管１０の表面となる発光面１２ａ１側に対向する透光性のレンズ５５を備えたグローブ５４と、平面型放電管１０の裏面１２ｂ１側に配置されたのＬＥＤ５８，５８と、ハウジング５１の内部５２に設けられ、平面型放電管１０およびＬＥＤ５８，５８に電線を介して接続された回路ユニット５９と、から構成されている。ＬＥＤ５８から照射された光は、平面型放電管１０の非発光領域を透過しレンズを介して外部に照射される。【選択図】          図１
2010064684.tif 000002
【特許請求の範囲】
【請求項１】
開口部を有するハウジング内に収容された板型光源体と、
前記開口部を塞ぐとともに、前記板型光源体の表面となる発光面側に対向する透光性のレンズを備えたグローブと、
前記板型光源の裏面側に配置された点光源体と、
前記ハウジングの内部または外部に設けられ、前記板型光源体および前記点光源体に電線を介して接続された回路ユニットと、を備え、
前記点光源体が前記板型光源体と対向する該板型光源体の一部分には、該点光源体から照射する光が該板状光源体の裏面側から表面側へ透過する透光領域を有する、
ことを特徴とする照明装置。
【請求項２】
前記透光領域は、前記板型光源体における非発光領域である、ことを特徴とする請求項１に記載の照明装置。
【請求項３】
前記板型光源体は、一対の対面する誘電体平板の周囲を封止して放電空間を形成し、前記放電空間を形成する前記一対の誘電体平板の内面のいずれか一方に蛍光体膜を形成し、該放電空間内に放電ガスを封入して構成される平面型放電管であって、
当該平面型放電管における前記非発光領域を有する部分には、前記放電空間が存在しない領域からなる、ことを特徴とする請求項２に記載の照明装置。
【請求項４】
前記放電空間が存在しない前記非発光領域は、前記平面型放電管を形成する一対の誘電体平板の間に形成される誘電体リブによって構成される、
ことを特徴とする請求項３に記載の照明装置。
【請求項５】
前記放電空間が存在しない前記非発光領域は、当該平面型放電管の放電空間を貫く凹部によって構成されること、
を特徴とする請求項３に記載の照明装置。
【請求項６】
前記放電空間が存在しない前記非発光領域は、当該平面型放電管の表面側から裏面側に貫通する貫通孔によって構成されること、
を特徴とする請求項３に記載の照明装置。
【請求項７】
前記板型光源体は、一対の対面する誘電体平板の周囲を封止して放電空間を形成し、前記放電空間を形成する前記一対の誘電体平板の内面のいずれか一方に蛍光体膜を形成し、該放電空間内に放電ガスを封入して構成される平面型放電管であって、
当該平面型放電管の前記透光領域における放電空間を形成する裏面側の誘電体平板の内面には、蛍光体膜が存在しない、ことを特徴とする請求項１または請求項２に記載の照明装置。
【請求項８】
前記板型光源体は、一対の対面する誘電体平板の周囲を封止して放電空間を形成し、前記放電空間を形成する前記一対の誘電体平板の内面のいずれか一方に蛍光体膜を形成し、該放電空間内に放電ガスを封入して構成される平面型放電管であって、
当該平面型放電管の前記透光領域において、一対の対面する誘電体平板の外面あるいは内面のいずれか一方には薄膜状電極が存在しないこと、且つ当該平面型放電管が発光する領域において、一対の対面する誘電体平板の外面あるいは内面には薄膜状電極が存在する、ことを特徴とする請求項１〜請求項７のいずれかに記載の照明装置。
【発明の詳細な説明】
【技術分野】
【０００１】
本発明は、照明装置に関し、詳しくは、乗用車、ワンボックスカー、バス、トラック等の車両内用の照明装置に関する。
【背景技術】
【０００２】
従来、自動車室内用の照明装置として、電球や、小型の蛍光灯、冷陰極管を搭載したルームランプが使用されているが、これに加えて、特定の領域をスポット的に照明することに利用されるランプ（以下、「スポットランプ」という）が用いられるようになってきている。スポットランプは、例えば、運転者あるいは乗員の手元を照明することで、地図等を参照する際の明かりを提供することに利用される。ルームランプには比較的広い範囲を照明できることが必要とされる一方で、スポットランプには限られた領域のみを照明できることが要望されている。
【０００３】
このようにルームランプとスポットランプでは求められる照明範囲が異なることから、例えば、特許文献１に開示されているように、一つの光源によって照明範囲の異なる二種類の照明光を得ることが可能な車両用照明装置が提案されている。この照明装置では、第１の状態のときには光源の光をレンズによって集光してスポットライト的照明光を得るとともに、第２の状態の時には反射鏡を利用するなどして光源の光を、光源の背後に設置された導光板に導いて間接照明光を得ている。
【０００４】
また、その他の従来例として、ルームランプ用の光源とスポットランプ用の光源とをそれぞれ用意し、そしてレンズを用いるなどして各ランプの照明範囲を個別に制御しているものもある。即ち、例えば、図８に示すように、車両内を広く照らすための主照明部となる第１の照明部（レンズ５５のうち、５５ａに相当する部分から光が照射される照明部）と、スポットランプのように書籍や地図など、文字等を確認するための副照明となる第２の照明部（レンズ５５のうち、５５ｂに相当する部分から光が照射される照明部）とから形成されている。
【０００５】
第１の照明部の光源としては、いわゆる電球色等の比較的淡い光を照射する電球５７を用い、第２の照明部の光源としては、高輝度ＬＥＤ５８、５８が用いられる。これらの光源は、照明装置５０のケース５６内に設置され、各々の光源の上側は、ケースを覆うようにして設置された透光性のレンズ５５によって覆われている。なお、図８（ａ）は、前記照明装置の平面図であり、図８（ｂ）は、そのＡ−Ａ断面図である。また、各光源に接続される配線は省略されており、ランプを点灯するための電源基板等を構成する点灯装置は、同照明装置とは別体とされている。
【０００６】
【特許文献１】特開平０６−２７８５３０号公報
【発明の開示】
【発明が解決しようとする課題】
【０００７】
前述のように、ルームランプとスポットランプとにより、別々の光源を用いて照明装置を構成した場合には、各光源用のスペースをそれぞれ確保する必要があり、結果として照明装置のサイズが大型化してしまう。また、光源数が増大することに伴い、装置全体の構成も複雑化する。さらに、各光源用の配線が必要となることから照明装置を設置する際の配線数が増加し、照明装置の設置時における作業性の低下を引き起こす。
【０００８】
また、特に図８に示した照明装置では、電球５７から照射された光は、図８（ａ）に示す円５５ａ１の内部においては明るく、その外側に向かって徐々に暗くなっている。同様に、円５５ｂ１、５５ｂ１の内部においては明るく、その外側に向かって徐々に暗くなっている。光源５８はスポットライトとしての照明であるため、円５５ｂ１、５５ｂ１の外側は、円５５ａ１の外側よりも暗くなっている。つまり、照明装置として、ルームランプとスポットランプとが一体として構成されているものの、照明装置の平面側から見た場合、点灯時には、明るさにムラが見られ、決して見栄えの良いものではなかった。
【０００９】
また、これを解決するために、可能な限りレンズ５５（５５ａ、５５ｂ、５５ｂ）と各光源５７，５８，５８との距離Ｈ０，Ｈ１，Ｈ１を大きくすることによって、明るさの強い一様な部分（円５５ａ１、５５ｂ１，５５ｂ１から照射される光の部分）を大きくすることが可能である。しかし、その副作用として照明装置の高さＨが大きくなり、結果として照明装置の大型化になる（厚みが大きくなる）という欠点があった。
【００１０】
また、電球５７から照射される光は淡い電球色であり、高輝度ＬＥＤ５８から照射される昼光色とは色が異なっていることも、見栄えを悪くする一つの要因であった。そこで、電球５７を昼光色の光を照射する光源に取り替えることも考えられたが、収容するスペースが大型化することや、コスト上昇などの問題があり、容易に設計変更できなかった。
【００１１】
一方、特許文献１に開示される照明装置では一つの光源によって二種類の照明光が得られるものの、照明範囲の広い光として間接光が利用されていることから、例えば車両のルームランプに求められるような十分な照度を得ることができない。また、導光板用のスペースを光源の背後に確保する必要があることから、特に奥行き方向に関して装置の小型化が制限を受ける。従って、車両の天井など、奥行き方向に十分な長さを確保することが困難な場所における照明装置としては適当ではなかった。
【００１２】
そこで、本発明は、車両内を広く照らすための主照明部となる第１の照明部と、スポットランプのように書籍や地図など、文字等を確認するための副照明となる第２の照明部とを備えつつ、各光源用のスペースを小さくして薄型でコンパクトな構成にするとともに、点灯時にもムラなく見栄えの良い照明装置を提供することを目的とする。
【課題を解決するための手段】
【００１３】
本発明のうち、請求項１に記載の照明装置は、  
開口部を有するハウジング内に収容された板型光源体と、
前記開口部を塞ぐとともに、前記板型光源体の表面となる発光面側に対向する透光性のレンズを備えたグローブと、
前記板型光源の裏面側に配置された点光源体と、
前記ハウジングの内部または外部に設けられ、前記板型光源体および前記点光源体に電線を介して接続された回路ユニットと、を備え、
前記点光源体が前記板型光源体と対向する該板型光源体の一部分には、該点光源体から照射する光が該板状光源体の裏面側から表面側へ透過する透光領域を有する、ことを特徴とする。
【００１４】
ここで、「板型光源体」とは、板状の光源体であるとともに、周縁を除く表面全体から一様な光を照射することが可能な光源を指す。また、「点光源体」とは、指向性の強い照射光によってスポット的に対象物を照らすことが可能な光源を指す。
【００１５】
本発明によれば、ハウジング内に収容された板型光源体の裏面側に点光源体を配置し、回路ユニットによってこれらの光源を点灯することによって、点光源体から照射される光が、板型光源体の一部分を介して表面側へレンズを介して照射されるので、この照明装置をレンズ側から見た場合には、主照明となる板型光源体から照射される部分と、副照明となる点光源体から照射される部分との空間的な区別が明確に見られず、また、板型光源体によって主照明となる光が一様に照射されることから、ムラなく見栄えの良い照明装置となる。前記板状光源体には、前記点光源体と対向する部分に透光領域を設けることによって、前記点光源体から照射される光が、板状光源体の裏面側から表面側に透過するようになる。
【００１６】
また、回路ユニットが当該照明装置の内部に設けられた場合には、光源と回路ユニットを繋ぐ配線が照明装置の外部に表れないので、照明装置の設置時における作業性が向上するとともに、外部空間へ回路ユニットを取り付けるスペースを設けなくてもよい。
【００１７】
また、請求項２に記載の照明装置は、請求項１に記載の照明装置に加えて、
前記透光領域は、前記板型光源体における非発光領域である、ことを特徴とする。
【００１８】
ここで、「非発光領域」とは、光源としての板型光源体において、自ら発光しない領域を指す。つまり、点光源体の光を通過するとともに、板状光源帯自らは発光しないことを意味する。
【００１９】
本発明によれば、板型光源体における非発光領域の部分を介して、点光源体から照射される光を外部へ照射することが可能となる。なお、前述のように、この部分では板型光源体としての発光機能を有しない。従って、板型光源体および点光源体の両方を同時に点灯した場合には、この非発光領域に板型光源体からの光が漏れないため、点光源体から照射された光を交わることがないため、指向性の強い点光源体としての機能が優位に発揮される。また、板型光源体および点光源体の両方を同時に点灯した場合には、照明装置のレンズ側から見た場合、レンズ全体から光が一様に照射されるように見え、非常に見栄えが良い。また、点光源体のみを消灯し、板型光源体のみを点灯した場合には、板型光源体における透光性の非発光領域の部分のみが暗くなる。しかし、その非発光領域の部分の周囲は、発光領域で囲まれているので、主照明である板型光源体によって照射される対象物には、非発光領域の存在によって暗く照らし出される部分はなく、実質的に問題はない。
【００２０】
従来のスポットライトとルームランプを併用する照明装置においては、スポットライトとして機能する照射領域とルームランプとして機能する照射領域とが構造上、明確に区画されていたため、スポットライトが照らすべき領域に対して、ルームランプが照射できる領域でカバーし難くなるという問題があった。
【００２１】
また、請求項３に記載の照明装置は、請求項２に記載の照明装置に加えて、
前記板型光源体は、一対の対面する誘電体平板の周囲を封止して放電空間を形成し、前記放電空間を形成する前記一対の誘電体平板の内面のいずれか一方に蛍光体膜を形成し、該放電空間内に放電ガスを封入して構成される平面型放電管であって、
当該平面型放電管における前記非発光領域を有する部分には、前記放電空間が存在しない、ことを特徴とする。
【００２２】
本発明によれば、前記平面型放電管を板型光源体として用いた場合には、前記非発光領域を形成する手段として、その部分を放電させないようにすること、即ち、放電空間を形成しないことが挙げられる。このような構成とすることによって、容易に透光性の非発光領域を形成できる。
【００２３】
また、請求項４に記載の照明装置は、請求項３に記載の照明装置に加えて、
前記放電空間が存在しない前記非発光領域は、前記平面型放電管を形成する一対の誘電体平板の間に形成される誘電体リブによって構成される、ことを特徴とする。
【００２４】
また、請求項５に記載の照明装置は、請求項３に記載の照明装置に加えて、
前記放電空間が存在しない前記非発光領域は、当該平面型放電管の放電空間を貫く凹部によって構成されること、を特徴とする。
【００２５】
また、請求項６に記載の照明装置は、請求項３に記載の照明装置に加えて、
前記放電空間が存在しない前記非発光領域は、当該平面型放電管の表面側から裏面側に貫通する貫通孔によって構成されること、を特徴とする。
【００２６】
請求項４〜６に記載の発明によれば、放電空間を形成しないようにすることによって、容易に非発光領域の部分を形成することが可能となる。また、点光源体から照射される光は、平面型放電管を介することによる光の減衰を極力抑えることが可能となる。よって、省エネルギー効果が期待できる。
【００２７】
また、請求項７に記載の照明装置は、請求項１または請求項２に記載の照明装置に加えて、
前記板型光源体は、一対の対面する誘電体平板の周囲を封止して放電空間を形成し、前記放電空間を形成する前記一対の誘電体平板の内面のいずれか一方に蛍光体膜を形成し、該放電空間内に放電ガスを封入して構成される平面型放電管であって、
当該平面型放電管の前記透光領域における放電空間を形成する裏面側の誘電体平板の内面には、蛍光体膜が存在しない、ことを特徴とする。
【００２８】
本発明によれば、前記透光領域における放電空間を形成する裏面側の誘電体平板の内面に形成された蛍光体膜を省くことによって、この蛍光体膜によって励起発光される可視光を発生させないようにするとともに、点光源体から照射された光をこの蛍光体膜によって減衰させないようにすることが可能となる。
【００２９】
また、請求項８に記載の照明装置は、請求項１〜請求項７のいずれかに記載の照明装置に加えて、
前記板型光源体は、一対の対面する誘電体平板の周囲を封止して放電空間を形成し、前記放電空間を形成する前記一対の誘電体平板の内面のいずれか一方に蛍光体膜を形成し、該放電空間内に放電ガスを封入して構成される平面型放電管であって、
当該平面型放電管の前記透光領域において、一対の対面する誘電体平板の外面あるいは内面のいずれか一方には薄膜状電極が存在しないこと、且つ当該平面型放電管が発光する領域において、一対の対面する誘電体平板の外面あるいは内面には薄膜状電極が存在すること、を特徴とする。
【００３０】
本発明によれば、前記透光領域における平面型放電管の部分には、いずれか一方の薄膜状電極が存在していないため、この領域において放電現象が発生しない。よって光が照射されることはないため、点光源から照射される指向性の強い光を透過させることが可能となる。
【発明の効果】
【００３１】
以上の発明の照明装置によれば、車両内を広く照らすための主照明部となる第１の照明部と、スポットランプのように書籍や地図など、文字等を確認するための副照明となる第２の照明部とを備えつつ、各光源用のスペースを小さして薄型でコンパクトな構成にするとともに、点灯時にもムラなく見栄えの良い照明装置を提供することが可能となる。
【発明を実施するための最良の形態】
【００３２】
（第１の実施形態）
図１は、本発明における第１の実施形態の照明装置であって、（ａ）はその平面図、（ｂ）は、前記平面図におけるＡ−Ａ断面図である。
【００３３】
＜全体構成＞
図１に示すように、本実施形態の照明装置は、開口部（５２，５３，５３の上側に相当する）を有するハウジング５１内に収容された板型光源体としての平面型放電管１０と、その開口部を塞ぐとともに、平面型放電管１０の表面となる発光面１２ａ１側に対向する透光性のレンズ５５（５５ａ、５５ｂ、５５ｂ）を備えたグローブ５４と、平面型放電管１０の裏面１２ｂ１側に配置された点光源体としてのＬＥＤ５８，５８と、ハウジング５１の内部５２に設けられ、平面型放電管１０およびＬＥＤ５８，５８に電線を介して接続された回路ユニット５９と、から構成されている。なお、各光源１０，５８、５８を繋ぐ配線は図面の記載を省略している。
【００３４】
ハウジング５１は、開口部を壁５１ａ、５１ａによって３つの空間に区画され、収容室５３，５３には、ＬＥＤ５８，５８が配置され、収容室５９には、回路ユニット５９が配置されている。平面型放電管１０は、収容室５３，５３、５９の上側を対向して塞ぐようにハウジング５１の開口部を覆って固定されている。
【００３５】
平面型放電管１０（厚さ３〜４ｍｍ）は、一対の対面する誘電体平板としてのガラス基板１２ａ、１２ｂの周囲を封止部材１３によって封止して放電空間１６を形成し、この放電空間１６内に放電ガスとしてのキセノンガスを封入されている。一対のガラス基板１２ａ、１２ｂの外面１２ａ１、１２ｂ１には、薄膜状電極１４ａ、１４ｂが設けられている。なお、薄膜状電極１４ａは透明であるが、薄膜状電極１４ｂはかならずしも透明である必要はない。また、薄膜状電極１４ａ，１４ｂは、板状電極であってもよく、このような薄型の電極を含む。また、ガラス基板１２ａ、１２ｂの内面（放電空間１６内）には、蛍光体膜１５ａ、１５ｂが設けられている。通常、このような平面型放電管においては、発光面（表面）となる側のガラス基板１２ａの内面に形成される蛍光体膜１５ａの膜厚さを薄くし、発光面と反対側（裏面）となる側のガラス基板１２ｂの内面に形成される蛍光体膜１５ｂの膜厚さを厚く形成する。この理由は、放電空間内で生じた発光現象による光を、表面側には透過しやすくし、裏面側には透過させにくくするためである。なお、蛍光体膜１５ａ、１５ｂのいずれか一方を省略することも可能であるが、前述の観点から、蛍光体膜１５ａを省略するのが好ましい。
【００３６】
この一対の薄膜状電極１４ａ、１４ｂに高電圧を付加すると、放電空間１６内に放電が起こり、これによってキセノンガスが励起され、蛍光体膜１５ａ、１５ｂの作用によって光が、発光面１２ａ１からガラス基板１２ａおよび薄膜状電極１４ａを介して外部へ照射される。なお、放電ガスはキセノンガスに限定されず、他の種類の放電ガスでもかまわない。
【００３７】
ＬＥＤ５８が対向する平面型放電管１０の一部分においては、その部分に対応する部分にのみ放電空間を設けていない。即ち、放電距離ｄに相当する高さおよびほぼ断面がほぼ円形の透明なリブ１２ｃ、１２ｃが設けられている。このリブ１２ｃは、透明なガラス製であり、ガラス基板１２ｂと一体にして形成されている。このリブ１２ｃの上面は、ガラス基板１２ａの内面に形成された蛍光体膜１５ａに当接して密着しているため、このリブ１２ｃの部分だけは、放電ガスが存在しない領域となる。したがって、平面型放電管１０を点灯してもリブ１２ｃが存在する部分からは、表面に向けて光が照射されず、非発光領域となる。ＬＥＤ５８，５８を点灯した場合、ＬＥＤ５８、５８から照射された光は、一対の誘電体平板としての透光性のガラス基板１２ａ，１２ｂと、非発光領域としてのリブ１２ｃを介して、平面型放電管１０の表面側に照射される。なお、蛍光体膜１５ａの部分が省略された場合には、前記リブ１２ｃは、ガラス基板１２ａの内面と直接、当接して密着する。なお、蛍光体幕１５ａを、このリブ１２ｃの上面がガラス基板１２ａの内面と当接して密着する部分のみだけ省略することもできる。このようにして、一対の誘電体平板としてのガラス基板１２ａ、１２ｂの間に、リブ１２ｃが形成されることによって、非発光領域が構成される。なお、本実施形態において、平面型放電管１０におけるＬＥＤ５８と対向する部分である光の透過が可能となる部分（非発光領域）が、本発明における「透光領域」に相当する。
【００３８】
グローブ５４は、ハウジング５１の開口部に配置された平面型放電管１０を覆うようにして上側から被せられ、ハウジング５１の周縁部と接続固定される。また、グローブ５４には、平面型放電管１０の発光面１２ａ１と対向するように透光性のレンズ５５が設けられている。ＬＥＤ５８および平面型放電管１０から照射された光は、このレンズ５５を介して外部へ照射される。レンズ５５は、平面型放電管１０の発光面１２ａ１から照射された光を透過させるレンズ部分５５ａと、ＬＥＤ５８から照射された光を透過させるレンズ部分５５ｂ、５５ｂとから構成されいる。レンズ部分５５ｂは、ほぼ円形であり、ＬＥＤ５８から発光される光の照射角度に相当する分の内径を有する。レンズ部分５５ｂの周りは、レンズ部分５５ａが取り囲んでいる。なお、レンズ部分５５ｂは円形に限定する必要はない。
【００３９】
また、レンズ部分５５ａの内面には、レンズカットが施されている。平面型放電管１０の放電空間１６内の各所には、両ガラス基板１２ａ，１２ｂを支えるリブ（図示しない）が設けられている。平面型放電管１０の点灯時には、このリブの部分のみが暗く映る。この対策として、レンズ部分５５ａの内面にレンズカットを設けることによって、リブによる陰の部分が外面に表れないようにしている。
【００４０】
＜作用・機能＞
次に、本実施形態の照明装置３０と図８に示した従来の照明装置５０との点灯した場合の比較を以下に示す。図２は、本実施形態の照明装置３０が対象物１００を照らした場合の状態を模式的に示している。図９は、図８に示した従来の照明装置５０が対象物１００を照らした場合の状態を模式的に示している。
【００４１】
図９は、従来の照明装置５０を屋内や車両等の天井に取り付けた場合の光の照射状態を示している。よって、照射面（図７（ａ）の平面図に相当する面）が下向きとなる。図９（ａ）は、主照明となる電球５７および副照明となるＬＥＤ５８の両光源を点灯させた場合を示している。照明装置５０の下面から所定距離をおいて対象物１００を照射した場合、電球５７から照射された主な強い光は、幅Ｂ１の領域を照らし、ＬＥＤ２８，５８から照射された強い光は、幅Ｂ２，Ｂ２の領域を照らす。なお、レンズ５５ａの円形以外の部分から照射される主照明としての弱い光は、幅Ｂ１’のように広い領域を照らすようになっている。
【００４２】
図９（ｂ）は、副照明となるＬＥＤ５８のみを点灯させた場合を示している。この場合、スポットライトとしての機能を有しているため、幅Ｂ２，Ｂ２の領域を明るく照らし出す。図９（ｃ）は、主照明となる電球５７のみを点灯させた場合を示している。この場合、、幅Ｂ１の領域が強い光が照射され、幅Ｂ１’の領域は弱い光が照射される。よって、図９（ｂ）および（ｃ）の場合、対象物１００を照らす面には、明るさの強弱が場所によって様々であり、結果的に広い空間を一定の明るさで照射する機能に欠けていることがわかる。一方、図９（ｂ）のように、ＬＥＤ５８を点灯した場合においても、Ｂ２の領域は強い光が照射されるが、その周囲へ漏れる光を遮っていないため、周囲がぼんやりとした明かりに覆われ、決して見栄えのよい配光の状態とはなっていなかった。
【００４３】
図２は、本実施形態のの照明装置３０を屋内や車両等の天井に取り付けた場合の光の照射状態を示している。よって、照射面（図２（ａ）の平面図に相当する面）が下向きとなる。図２（ａ）は、主照明となる平面型放電管１０および副照明となるＬＥＤ５８の両光源を点灯させた場合を示している。照明装置３０の下面から所定距離をおいて対象物１００を照射した場合、平面型放電管１０から照射された主な強い光は、幅Ｂ４の領域を照らし、ＬＥＤ５８，５８から照射された強い光は、幅Ｂ３，Ｂ３の領域のみを照らす。
【００４４】
図２（ｂ）は、副照明となるＬＥＤ５８、５８のみを点灯させた場合を示している。この場合、スポットライトとしての機能を有しているため、幅Ｂ３，Ｂ３の領域のみを明るく照らし、その周辺部分への光漏れは、平面型放電管１０における非発光領域およびレンズ５５ｂによって、配光が制限されているためほとんど生じない。よって、外部から見た場合、スポット照明としてのくっきりとした理想的な部分照射が実現される。
【００４５】
図２（ｃ）は、主照明となる平面型放電管１０のみを点灯させた場合を示している。この場合、レンズ５５ａの部分から照射される光は、レンズ５５ｂ、５５ｂの周囲を取り囲んでおり、しかも平面型放電管１０から照射される光の照射角度αは、ＬＥＤ５８から照射される光の照射角度βよりもかなり大きいため（矢印９２を参照）、図２（ｃ）の網掛け部９１，９１のような領域を除いては、レンズ５５ｂ、５５ｂの円形部分の直下となる対象物１００の部分をも明るく照らし出す。よって、平面型放電管１０の光の照射によれば、広範囲な幅Ｂ４となる領域を主照明として一様な明るさで照射することが可能となる。
【００４６】
＜第１の実施形態から把握される作用・効果＞
第１の実施形態から把握される作用・効果を以下に列記する。
（１）ハウジング５１内に収容された板型光源体としての平面型放電管１０の裏面側に点光源体としてのＬＥＤ５８を配置し、回路ユニット５９によってこれらの光源を点灯するようにした。このため、ＬＥＤ５８から照射される光が、平面型放電管１０の一部分を介して表面側へ、円形であるレンズ５５ｂを介して照射されるので、この照明装置３０をレンズ側から見た場合には、平面型放電管１０のみ点灯した場合であっても、主照明となる平面型放電管１０から照射される部分と、副照明となる点光源体から照射される部分との空間的な区別が明確に見られず、また、板型光源体によって主照明となる光が一様に照射されることから、ムラなく見栄えの良い照明装置となる（図２（ｃ）参照）。
【００４７】
（２）主照明電源に平面型放電管１０を用い、ハウジング５１の開口部の上部に配置したので、従来電球５７を配置していた空間５２に回路ユニット５９を配置することが可能となった。よって、光源と回路ユニットを繋ぐ配線が照明装置の外部に表れないので、照明装置の設置時における作業性が向上するとともに、外部空間へ回路ユニットを取り付けるスペースを設けなくてもよい。
【００４８】
（３）主照明電源に平面型放電管１０を用い、ハウジング５１の開口部の上部に配置した。この平面型放電管１０の厚さは３〜４ｍｍで非常に薄く、しかも発光面１２ａ１から一様な光が広範囲に照射されるため、従来のようにレンズと光源の距離を大きくする必要がない。そのため、従来の照明装置の厚さＨ（図８参照）と比較して、照明装置の厚さＨ’が小さくなる（図１参照）。
【００４９】
（４）副照明であるＬＥＤ５８と対向する平面型放電管１０の放電空間１６の部分には、ガラス基板１２ｂと一体にして形成される透光性のリブ１２ｃを設けた。これによって、この部分において放電現象を発生させないようにし、ＬＥＤ５８から照射される光のみを透過させるようにしている。このような構成とすることによって、容易に透光性の非発光領域を形成できる。
【００５０】
（第２の実施形態）
図３（ａ）は、本発明における第２の実施形態の照明装置である。この図では、この断面図に示す内部構造が左右対称となっているため、その一部断面図（左側）のみを示している。本実施形態では、平面型放電管１０の非発光領域となる部分、即ち、放電空間１６内部にリブが存在する部分において、一対のガラス基板１２ａ、１２ｂの外面には、薄膜状電極１４ａ、１４ｂを設けないようにした。これによって、非発光領域における光の透過率が上昇し、ＬＥＤ５８から照射される光の減衰を少なくすることが可能となる。なお、薄膜状電極１４ａ、１４ｂのうち、いずれか一方を省略するようにしてもよい。また、図３（ｂ）に示すように、蛍光体膜１５ａを省略してもよい。
【００５１】
（第３の実施形態）
図４は、本発明における第３の実施形態の照明装置である。この図では、この断面図に示す内部構造が左右対称となっているため、その一部断面図（左側）のみを示している。本実施形態では、図４（ａ）に示すように、一方のガラス基板１２ｂの外面側に型成形によって凹部１２ｆを設け、内面側となる凸部１２ｇの高さを放電空間１６の放電空間距離とほぼ同じくする。そして、この凸部上面をもう一方のガラス基板の内面に当接させることで、放電現象を生じない領域を形成させる。このような構成とすることによって、容易に透光性の非発光領域を形成できる。なお、ガラス基板１２ａにおいて、その内面側に凸部を設けるようにしてもよい。また、ガラス基板１２ｂに凹凸部を設けた場合には、その凹部内にＬＥＤ５８の先端を近づけて配置することが可能となり（図４（ｂ）参照）、その分だけ、照明装置の厚さＨ’’が小さくなる（Ｈ’＞Ｈ’’）。
【００５２】
（第４の実施形態）
図５は、本発明における第４の実施形態の照明装置である。この図では、この断面図に示す内部構造が左右対称となっているため、その一部断面図（左側）のみを示している。本実施形態では、一対のガラス基板１２ａ、１２ｂのいずれかにおいて、穴を形成し、その結果生じた放電空間１６の一部分を封止部材１３ａによって封止する。このような構成とすることで、平面型放電管１０の一部分に非発光領域を形成し、ＬＥＤ５８から照射される光を透過させるようにしている。図６（ａ）は、ガラス基板１２ｂのみに穴１２ｄを形成した場合であるが、ガラス基板１２ａのみに穴を形成するようにしても良い。図６（ｂ）は、一対のガラス基板１２ａ，１２ｂともに穴１２ｄ、１２ｅを形成した場合を示している。
【００５３】
（第５の実施形態）
図６（ａ）は、本発明における第５の実施形態の照明装置である。この図では、この断面図に示す内部構造が左右対称となっているため、その一部断面図（左側）のみを示している。通常の平面型放電管１０の裏面側（発光面と反対側）のガラス基板１２ｂの内面に形成される蛍光体膜１５ｂの膜厚さは厚くしている。これは、放電空間から照射される光を裏面側に透過させないようにするためであるが、同時にＬＥＤ５８からの光を容易に通過させないようになっていた。本実施形態では、平面型放電管１０の透光領域となる部分を実現させる手段として、その部分に対応する放電空間１６内には、蛍光体膜１５ｂを設けないようにしている。この場合、この領域では放電現象は生じるものの、蛍光体膜１５ｂによる発光現象が生じないため、ＬＥＤ５８から照射される光は、膜厚さの薄い蛍光体膜１５ａを介して平面型放電管１０を透過する。
【００５４】
なお、蛍光体膜１５ａによって励起発光する光は、平面型放電管１０の表面側に透過する。このため、ＬＥＤ５８から照射される光が、平面型放電管１０内を透過する時点においては、蛍光体膜１５ａによって励起発光する光と交わらないが、平面型放電管１０内を透過した以降においては、蛍光体膜１５ａによって励起発光する光と交わる。しかし、この蛍光体膜１５ａによって励起発光する光は、蛍光体膜１５ａの膜厚さが薄く発光が弱いために、ＬＥＤ５８から照射される光の妨げにはならない。なお、図６（ｂ）のように、この部分において蛍光体膜１５ａを省略してもよい。このようにすれば、蛍光体膜１５ａによって励起発光される光が生じないので、ＬＥＤ５８から照射された光と交わることはなくなる。
【００５５】
（第６の実施形態）
図７は、本発明における第６の実施形態の照明装置である。この図では、この断面図に示す、内部構造が左右対称となっているため、その一部断面図（左側）のみを示している。本実施形態では、平面型放電管１０の透光領域となる部分を実現させる手段として、その部分に対応する放電空間１６内には、蛍光体膜１５ａ、１５ｂを設けないようにするとともに、一対のガラス基板１２ａ、１２ｂの外面には、薄膜状電極１４ａ、１４ｂを設けないようにした。これによって、この領域では放電現象および蛍光体膜による発光現象が生じないため、結果として容易に透光領域を形成することが可能となる。なお、このような透光領域においては、直接の放電現象による発光は生じないが、その周縁から照射される光が存在するため、ぼんやりとした薄明かりが漏れる。このため、平面型放電管１０による完全な非発光領域とはならない。
【００５６】
（応用例等）
ところで、本発明は前記の実施形態に限定するものではなく、本発明の要旨を変更しない範囲で様々な実施が可能である。
・  前記実施形態において使用した主照明となる平面型放電管１０は、一対のガラス基板の外面に薄膜状電極を有する構造となっているが、これに限定されず、少なくとも一方の薄膜状電極が、ガラス基板の内面に配置するようにしても良い。また、一対の薄膜状電極を両ガラス基板の内面に配置する場合は、少なくともいずれか一方の薄膜状電極の上面に誘電体膜を形成させる必要がある。
【００５７】
・  前記実施形態において、ＬＥＤ５８を照明装置３０の両端に１個ずつ配置しているが、これに限定されない。ＬＥＤは複数個用いても良いし、１個でも良く、例えば照明装置３０の中央部に配置することも可能である。
【００５８】
・  前記実施形態において、ＬＥＤ５８の光の照射方向と平面型放電管１０の光の照射方向を、照明装置３０の設置面に対し垂直としているが、これに限定することはない。ＬＥＤ５８の配置を斜めにして、スポット照明としての照射方向を変えても良いし、方向を固定せず、可変するような構成としてもよい。
【００５９】
・  前記実施形態において、ＬＥＤ以外の点光源体を使用してもよく、例えば、指向性の強い電球でもよい。
【００６０】
・  前記実施形態において、平面型放電管１０の透光領域以外に相当する裏面側には、裏面側に光を透過させないための不透明部材を設けても良い。なお、この部材において平面型放電管に貼り付ける面側には、反射部材を設けるようにしてもよい。また、薄膜状電極１４ｂを不透明電極とし、透光領域に相当する部分には、これを形成しないようにしても良い。
【００６１】
・  点光源体には、昼光色を発するＬＥＤとされることが多いが、板型光源体としての平面型放電管を用いれば、蛍光体の種類をＬＥＤと同様の昼光色系の発光色にすることによって、両光源の点灯時においても、ムラなく見栄えの良い照明状態となる。
【００６２】
・  本発明における「板型光源体」は、前記実施形態において適用された平面型放電管に限定されない。例えば、ナノシリコンやナノカーボンなどの電子放出源を用いた電子放出型の平面発光パネルを利用することも可能である。また、有機ＥＬを用いた発光パネルを利用することも可能である。
【図面の簡単な説明】
【００６３】
【図１】第１の実施形態における照明装置であって、（ａ）は平面図、（ｂ）は（ａ）のＡ−Ａ断面図である。
【図２】第１の実施形態における照明装置の光の配光状態を示す模式図であり、（ａ）は主光源および副光源の両方を点灯した場合、（ｂ）は副光源のみを点灯した場合、（ｃ）は主光源のみを点灯した場合の説明図である。
【図３】第２の実施形態における照明装置の一部断面図である。
【図４】第３の実施形態における照明装置の一部断面図である。
【図５】第４の実施形態における照明装置の一部断面図である。
【図６】第５の実施形態における照明装置の一部断面図である。
【図７】第６の実施形態における照明装置の一部断面図である。
【図８】従来の照明装置であって、（ａ）は平面図、（ｂ）は（ａ）のＡ−Ａ断面図である。
【図９】図８に示す従来の照明装置の光の配光状態を示す模式図であり、（ａ）は主光源および副光源の両方を点灯した場合、（ｂ）は副光源のみを点灯した場合、（ｃ）は主光源のみを点灯した場合の説明図である。
【符号の説明】
【００６４】
１０…板型光源体としての平面型放電管、５８…点光源体としてのＬＥＤ、３０…照明装置、５１…ハウジング、５５・・・レンズ、５４…グローブ、１２ｃ…非発光領域を形成するリブ。
【図１】
2010064684.tif 000003
【図２】
2010064684.tif 000004
【図３】
2010064684.tif 000005
【図４】
2010064684.tif 000006
【図５】
2010064684.tif 000007
【図６】
2010064684.tif 000008
【図７】
2010064684.tif 000009
【図８】
2010064684.tif 000010
【図９】
2010064684.tif 000011